(57)【要約】【課題】ポールの大小に対する融通性があって、それに取り付けるときに挿入しやすいことはもちろん、大小があってもずれ下がったり傾いたりすることなく姿勢正しく安定して確実に固定することができるポール用の可動ジョイントを提供する。【解決手段】前方開口の転倒キャップ状の前端幅中央部に二股状に切欠を設けるとともに左右へ開き状に一対の正面盤を突設し中心に後端から摘みネジを螺着したジョイント本体と、幅中央にポールが添えられる受け溝が突設され両方の正面盤にわたってその前面に重ね一体結合される装着物の取付ベース盤と、ジョイント本体に前後動可能に内装されることにより前記受け溝に対面する押え溝が形成されている可動対面材とからなり、可動対面材は、摘みネジの螺進によりポールを押え溝で前記受け溝に締めつけるよう中心部で摘みネジに付されており、加えて、摘みネジと共に後退する従動手段を具備している。【選択図】    図１
2010071407.tif 000002
【特許請求の範囲】
【請求項１】
前方開口の転倒キャップ状の前端幅中央部に二股状に切欠を設けるとともに左右へ開き状に一対の正面盤を突設し中心に後端から摘みネジを螺着したジョイント本体と、幅中央にポールが添えられる受け溝が突設され両方の正面盤にわたってその前面に重ね一体結合される装着物の取付ベース盤と、ジョイント本体に前後動可能に内装されることにより前記受け溝に対面する押え溝が形成されている可動対面材とからなり、可動対面材は、摘みネジの螺進によりポールを押え溝で前記受け溝に締めつけるよう中心部で摘みネジに付されており、加えて、摘みネジと共に後退する従動手段を具備していることを特徴とするポール用の可動ジョイント。
【請求項２】
ジョイント本体の内部にて、可動対面材が移動する両側に該可動対面材を案内するガイドを設けたことを特徴とする請求項１記載のポール用の可動ジョイント。
【請求項３】
前記従動手段については、前記ガイドを溝形に形成し、可動対面材にはその両ガイド溝に係合するスライドアームを突設し、両ガイド溝にコイルスプリングを挿入することにより、両コイルスプリングが可動対面材のスライドアームと取付ベース盤との間に介在させてあることを特徴とする請求項２記載のポール用の可動ジョイント。
【発明の詳細な説明】
【技術分野】
【０００１】
この発明は、例えば、ＰＯＰスタンド、ＰＯＰ線材スタンドとしてパネルないしその支持部材等の装着物を高さ調製可能に取り付けるために使用するポール用の可動ジョイントに関する。
【背景技術】
【０００２】
現在、広告手段や販促手段として、店頭や店内に広告パネルをポールに支持して展示されることが多くなっている。この場合、一本だけで又は数本の組でパネル等を取り付けるのであるが、いずれにしても、取付けのベースとして高さ調製できる可動ジョイントがポールに嵌着され、一般的にそれに支持部材をビス止めし、支持部材にパネルが装着される。
【０００３】
従来のこの種の可動ジョイントとしては、ポールに丁度嵌まり側部に雌ネジを設けた筒体と、その雌ネジに螺入する摘み付きの押すネジとからなる押すネジ式のものや、筒形ではあるが一部が割溝で開放され開放口両側突片を設けた割筒体と、両突片に通すボルト及びナットとからなる締め式のもの等を挙げることができる。
【発明の開示】
【発明が解決しようとする課題】
【０００４】
上記のような従来のポール用の可動ジョイントによれば、ポールの外径とほゞ同じ内径の筒体を使用する必要があることから、ポールに取り付けるときには、同じ径どうしであるため挿入が容易ではなく、また、大小あるポールのいずれにも使用できるという融通性に全く欠けていた。この点について、押すネジ式のものでは、内径が大きくとも押すネジにより止めることができるが、押すネジの先端を支点に筒体が傾くことになって安定性が得られない。また、締め式のときであると、内径が大きくとも両突片の締め付けにより内径を縮めてポールに締めつけることができるが、内径が真円ではなくなるので、この場合も安定性が得られなかった。また、押すネジ式の場合であると、過剰にねじ込むとネジの先端でポールを傷めるおそれがあった。
【０００５】
この発明は、上記のような実情に鑑みて、ポールの大小に対する融通性があって、それに取り付けるときに挿入しやすいことはもちろん、大小があってもずれ下がったり傾いたりすることなく姿勢正しく安定して確実に固定することができるポール用の可動ジョイントを提供することを課題とした。
【課題を解決するための手段】
【０００６】
上記の課題を解決するために、この発明は、前方開口の転倒キャップ状の前端幅中央部に二股状に切欠を設けるとともに左右へ開き状に一対の正面盤を突設し中心に後端から摘みネジを螺着したジョイント本体と、幅中央にポールが添えられる受け溝が突設され両方の正面盤にわたってその前面に重ね一体結合される装着物の取付ベース盤と、ジョイント本体に前後動可能に内装されることにより前記受け溝に対面する押え溝が形成されている可動対面材とからなり、可動対面材は、摘みネジの螺進によりポールを押え溝で前記受け溝に締めつけるよう中心部で摘みネジに付されており、加えて、摘みネジと共に後退する従動手段を具備していることを特徴とするポール用の可動ジョイントを提供するものである。
【０００７】
また、可動対面材を案内するガイドを設けたり（請求項２）、そのガイドを溝形に形成し、そのガイド溝にコイルスプリングを挿入することにより（請求項３）、本発明の目的をより有効に達成することができる。
【０００８】
ポール用の可動ジョイントを上記のように構成したから、これをポールに取り付けるときには、受け溝と押え溝との間をポールの外径以上に開いておく必要があり、この開きはコイルスプリングの弾力により保持されるから、ジョイント本体の切欠の口から取付ベース盤の受け溝に沿わせ、所定の高さにおいて摘みネジを回して可動対面材を前進させ、その押え溝で受け溝にポールを押しつける。この力はネジの倍力であり、二つの溝で挟む４点接触となり均等性があるので、強固で安定した状態に固定される。また、摘みネジを戻すと、コイルスプリングの弾力で受け溝から押え溝が離反するので、容易に取り外すこともできる。
【発明の効果】
【０００９】
以上説明したように、この発明のポール用の可動ジョイントによれば、ポールを受け溝と押え溝との間に挟んで締めつけるために、ポールの径の大小に対する融通性があり、ポールに挿入しやすいことはもちろん、径にある程度の大小があってもずれ下がったり傾いたりする不都合なく、両溝の挟みで姿勢が正される。このときに摘みネジの倍力で強力に挟み付けることから、安定して確実に固定することができるという優れた効果がある。
【００１０】
加えて、請求項２及び請求項３の如く、従動手段を構成したときには、ガイド溝の中にコイルスプリングが納まるので、それに弾力を蓄積しやすい。
【発明を実施するための最良の形態】
【００１１】
次に、この発明の実施形態を図面に基づいて説明する。
【００１２】
図面は一実施の形態を示したもので、そのポール用の可動ジョイントＪは、ジョイント本体１と、それに組み合わされてポールＰを挟む一方となるとともに広告パネルの受け部材Ｔの止め側となる取付ベース盤３（これには受け部材Ｔの他に様々な装着物が取り付けられる）と、このベース盤３と共にポールＰを挟む可動対面材５との組み合わせからなり、これらはそれぞれプラスチックで一体成形されており、その他に、摘みネジ７と、一対のコイルスプリング９，９とがジョイント本体１に装備されて組み付けられる。なお、成形のインサート部品はネジ等であり、特別のものは使用されていない。
【００１３】
組立てにおいては（図１，図２）、ジョイント本体１と可動対面材５との双方にわたってポールＰの通し口１０を有し、通し口１０の中で可動対面材５がポールＰを取付ベース盤３に押さえる仕組みとなっている。その際に摘みネジ７の回転により、取付ベース盤３に対して可動対面材５をコイルスプリング９，９の弾力に抗して前進させるネジ操作となるが、後退は逆ネジ操作をしてコイルスプリング９，９の弾発力によらせるという従動手段が構成される。
【００１４】
ジョイント本体１は、摘みネジ７が螺入される側の基体部１１の前面にＶ字開きに切欠１２を設けるとともに、両開き状に両側に取付ベース盤３と合体する正面盤１３，１３が左右直列にして突設される。基体部１１は、横向きのキャップ形であって、キャップ頭部から中心に摘みネジ７が螺入される。そのため、中心に摘みネジ７が螺入される金属の雌ねじ１５がインサート成形により埋め込まれている。また、キャップ内には両側に可動対面材５の案内となるとともにコイルスプリング９，９が伸縮自在に納まるガイド溝１７，１７が設けられ、両方がビスポケット状の蟻溝に形成される。
【００１５】
また、ジョイント本体１には、取付ベース盤３を一体に取り付けるために、両正面盤１３，１３にそれぞれ上下両端に逆止爪１８，１８が長く突出して形成され、また、受け部材Ｔを取付ベース盤３とともに取り付けるネジ１９，１９を螺入する雌ネジ２１ａ，２１ａがインサート成形により埋設される。なお、逆止爪１８には爪先１８ａが外側に、つまり上の逆止爪１８には上に、下の逆止爪１８には下に設けられる。
【００１６】
取付ベース盤３は、両正面盤１３，１３と一体になるほゞ矩形であって、裏面には幅中央に沿ってポールＰが一部で納まるＶ字形に凹曲した受け溝２３を突設し、左右両端にはジョイント本体１の雌ネジ２１ａ，２１ａに対応する通し孔２１ｂ，２１ｂが設けられる。また、左右両側にはジョイント本体１の上下逆止爪１８，１８に対応してその差付孔２４，２４を設け、その内部に爪先１８ａの引掛りが突設されている。
【００１７】
したがって、基体部１１の両正面盤１３，１３に取付ベース盤３を一致して合わせると、左右において上下差付孔２４，２４に逆止爪１８，１８が脱出不能に結合し、それ以上の操作を要することなくワンタッチで一体結合する。したがって、一体結合に先行して基体部１１に可動対面材５と両コイルスプリング９，９を内装しておく必要がある。
【００１８】
可動対面材５は、矩形の直方体を基本形状とする小ブロック形であって、基体部１１の摘みネジ７の先端に中心を合わせて内装しておくもので、その中心には中心受けの軸凹孔２５を有する。その反対側の前面には取付ベース盤３の受け溝２３のＶ字形凹溝に対向するほゞ対称のＶ字形の押え溝２７が設けられている。また、左右両端にはガイド溝１７，１７に先端が係合するスライドアーム２９，２９がリブ付きで突設され、その先端に丸い係合子３０，３０が形成される。この係合子３０，３０の前においてコイルスプリング９，９がガイド溝１７，１７に納められる。（図６）。
【００１９】
上記の各部品の組み合わせ要領については、こうしてジョイント本体１に可動対面材５と両コイルスプリング９，９を挿入してから、ベース盤３をそのジョイント本体１に合わせながら、その差付孔２４，２４，２４，２４に逆止爪１８，１８，１８，１８を差し込むと、逆止爪１８が脱出不能となってジョイント本体１と取付ベース盤３とが合体し組立てが完了する。
【００２０】
図１および図２は組み立てた状態を示したもので、この状態では、内部の可動対面材５がコイルスプリング９，９の弾力で摘みネジ７のネジ端に押さえられる一方で、逆にコイルスプリング９，９で押さえられている。そこで、摘みネジ７を緩める方向に回して受け溝２３と可動対面材５との間を適当な間隔に開いておいて、そこにポールＰを差し込んでから（図１）、所定の位置で摘みネジ７を回して受け溝２３と可動対面材５との間を縮めることにより締めつけることができる。この時両コイルスプリング９，９が圧縮され弾力が蓄積される。
【００２１】
これでポールＰに対して可動ジョイントＪが固定して取り付けられるので、それにパネルの受け部材Ｔ等を装着する。この場合に、ジョイント本体１に有する雌ネジ２１ａ，２１ａと取付ベース盤３に有する通し孔２１ｂ，２１ｂとが合体しているので、その合体孔にビス１９を螺着して受け部材Ｔを取付ベース盤３に当てた状態に取り付けることができる。
【００２２】
ポールＰから取り外すときに、摘みネジ７を緩めると、コイルスプリング９，９の弾力に伴う従動手段により可動対面材５がネジ先ともに後退し、受け溝２３から押え溝２７が開くので、容易にポールＰから抜き取ることができる。なお、摘みネジ７のネジ先とともに可動対面材５が後退する従動手段については、そのネジ先に可動対面材５を回転可能に付着させておく等の他の方法もある。また、コイルスプリング９の代わりに他のバネ類の使用も可能である。
【００２３】
図８は図４に対応する別の実施形態である。この例では、従動手段としてコイルスプリングを使用することなく、摘みネジ７の先端が、リング７ａを介して、可動対面材５の内部で掛止する構成がとられている。なお、７ｂはストッパー用リングである。
【００２４】
用途については、ポールで装着物を支持する場合であれば、特に限定するものではなく、前記した場合の他に、フレーム・パネルの線材直付けインテリアイーゼル、壁面や什器セット直付けパーツのジョイントとして使うことができる。
【図面の簡単な説明】
【００２５】
【図１】この発明の可動ジョイントを取付け対象のポール（仮想線で示す）と、装着物としての広告パネルの受け部材（仮想線で示す）との関係において示す斜視図である。
【図２】同可動ジョイントを平面から見た断面図である。
【図３】同可動ジョイントを部品毎に分解して示す平面図である。
【図４】同可動ジョイントを部品毎に分解して示す平面から見た断面図である。
【図５】同可動ジョイントのうちのジョイント本体の正面図である。
【図６】同じく可動対面材の正面図である。
【図７】同じく取付ベース盤の正面図である。
【図８】他の実施形態を図４の実施例に対応して示した断面図である。
【符号の説明】
【００２６】
Ｊ  可動ジョイント
Ｐ  ポール
Ｔ  装着物としての広告パネルの受け部材
１  ジョイント本体
３  取付ベース盤
５  可動対面材
７  摘みネジ
７ａ  リング
７ｂ  ストッパー用リング
９  従動手段を構成するコイルスプリング
１３  正面盤
１２  切欠
１７  ガイドとしてのガイド溝
１８  逆止爪
１８ａ  爪先
２３  受け溝
２４  差付孔
２７  押え溝
２９  スライドアーム
【図１】
2010071407.tif 000003
【図２】
2010071407.tif 000004
【図３】
2010071407.tif 000005
【図４】
2010071407.tif 000006
【図５】
2010071407.tif 000007
【図６】
2010071407.tif 000008
【図７】
2010071407.tif 000009
【図８】
2010071407.tif 000010